(57)【要約】【課題】身体から採取された生体サンプルを、アセタールを含む組成物を用いて処理すること。【解決手段】身体から採取された生体サンプルをパラフィンに含ませる前に、前記生体サンプルの処置のため組成物の製造のために使用される、アセタール溶媒を含む組成物を提供する。【選択図】なし【特許請求の範囲】
【請求項１】
身体から採取された生体サンプルをパラフィンに含ませる前に、前記生体サンプルの処置のため組成物の製造のために使用される、アセタール溶媒を含む組成物。 
【請求項２】
アセタール溶媒が、ジオキソランを含む、請求項１に記載の組成物。
【請求項３】
アセタール溶媒が、１，３−ジオキソランを含む、請求項１に記載の組成物。
【請求項４】
生体サンプルの処置が、生体サンプルを固定化することを含む、請求項１に記載の組成物。
【請求項５】
アセタール溶媒が、１，３−ジオキソランを含み、生体サンプルを固定化することが、生体サンプルを、１，３−ジオキソランおよび水を含む組成物と接触させることを含む、請求項４に記載の組成物。
【請求項６】
生体サンプルの処置が、脱水処置を含む、請求項１に記載の組成物。
【請求項７】
アセタール溶媒が、ジオキソランを含む、請求項６に記載の組成物。
【請求項８】
アセタール溶媒が、１，３−ジオキソランを含む、請求項６に記載の組成物。
【請求項９】
組成物が、１，３−ジオキソランと、アルコール、アセトン、キシレンまたはグリコールとを含む、請求項８に記載の組成物。
【請求項１０】
生体サンプルの処置が、透徹処置を含む、請求項１に記載の組成物。
【請求項１１】
アセタール溶媒が、ジオキソランを含む、請求項９に記載の組成物。
【請求項１２】
アセタール溶媒が、１，３−ジオキソランを含む、請求項９に記載の組成物。
【請求項１３】
組成物が、１，３−ジオキソランと、別の透徹剤を含む、請求項１２に記載の組成物。
【請求項１４】
生体サンプルの処置が、浸潤処置を含む、請求項１に記載の組成物。
【請求項１５】
アセタール溶媒が、ジオキソランを含む、請求項１２に記載の組成物。
【請求項１６】
アセタール溶媒が、１，３−ジオキソランを含む、請求項１２に記載の組成物。
【請求項１７】
組成物が、１，３−ジオキソランと、パラフィンを含む、請求項１６に記載の組成物。
【発明の詳細な説明】
【技術分野】
【０００１】
組織処理。
【背景技術】
【０００２】
疾患過程の診断のために採取された身体に由来する組織は、スライド上に載せ、解析のために病理学者によって顕微鏡下で見ることができる薄い組織切片を製造するように組織学検査室において処理されることが多い。これらの解析前プロセスは、一般に、順を追って、肉眼的検査、固定、脱水、透徹、パラフィン浸潤および包理を含む。この手順は、生検、手術で採取された大きな検体または剖検から得た組織を含めた組織を処理するために使用される。
【０００３】
肉眼的検査は、一般に、巨視的検体を描写し、そのすべてまたは選択された部分を、パラフィンブロックに処理されている間、組織を保持する小さいプラスチックカセットに入れることからなる。最初に、カセットを固定液中に入れる。
【０００４】
肉眼的検査後、組織は固定される。固定の目的は、自己融解による分解が起こらないようにタンパク質の構造を変化させることによって、可能な限り生きているような状態で組織を永久に保存することである。存在する組織の種類および実証されるべき特徴に応じて、種々の固定液を利用可能である。作用機序に従って分類された固定液の主要な群として、アルデヒド、水銀、アルコール、酸化剤およびピクリン酸が挙げられる。ホルマリン固定は、ほぼ中性ｐＨ、例えば、６〜８の範囲で最良に実施される。組織の低酸素状態は、ｐＨを低下させる傾向があり、そのため、固定液には、過剰な酸度を防ぐための緩衝能力があるはずである。一般的なバッファーとして、リン酸、重炭酸、リンゴ酸、カコジル酸およびベロナールが挙げられる。市販のホルマリンは、例えば、ｐＨ７のリン酸を用いて緩衝され得る。組織の浸透は、個々の固定液各々の拡散性に応じて変わる。固定液の浸透を改善するための１つの方法は、組織を薄く（２〜３ミリメートル（ｍｍ））切断することである。薄い組織切片への浸透は、厚い切片についてよりも迅速に起こる。１０：１以上の比の固定液対通常標的とされる組織を用いる場合には、固定液の容量は、一般に、重要である。固定液中での検体の撹拌もまた、固定を増強することが多い。
【０００５】
ひとたび、組織が固定または固定化されると、組織は、顕微鏡検査のための薄い切片にされ得る形態に処理されることを必要とする。通常の方法で、これは、パラフィンを用いて行われる。組織に固相支持体マトリクスを提供するパラフィンに包埋された組織は、およそ２〜２０ミクロンの厚さの切片にされることを可能にする。切片作製のために組織がパラフィン中に固定されることは、組織処理と呼ばれ、このプロセスにおける主なステップは、脱水、透徹、浸潤および包理である。
【０００６】
水溶液中で固定された組織は、パラフィンで直接浸潤され得ない。第１に、脱水によって組織から水が除去されなければならない。これは、種々の濃度（例えば、７０パーセント〜９５パーセント〜１００パーセント）の一連のアルコールを用いて行われ得る。あるいは、脱水は、ホルマリンおよびアルコールの混合物を用いて行われる。アセトンまたは種々の溶媒の混合物などのその他の脱水剤も使用され得る。
【０００７】
脱水後、組織は、透徹される。「透徹」は、包理媒体（例えば、パラフィン）と混和性となる物質を用いる脱水剤および脂質の一部の除去からなる。最も一般的な透徹剤として、キシレンがある。
【０００８】
ひとたび透徹されると、組織は、パラフィンなどの包理剤で浸潤される。最後に、カセット中の、またはそのカセットから取り出された組織は、溶融パラフィン中に入れられ、次いで、パラフィンが冷却されて、組織を包理または被包する凝固したブロックを形成し、その結果、切片作製され得る。あるいは、組織は、切片作製可能なカセット中に処理され、カセットとともにパラフィン中に包埋され、切片作製され得る。ひとたび、組織が固体パラフィンブロック中に包埋されると、組織は、スライド上に置くことができる切片に切断され得る。これは、ミクロトームを用いて行われる。ひとたび、切片が切断されると、それらは、何らかの皴を除去するのに役立つ、温水浴に浮かべられる。次いで、パラフィン中の組織切片は、水浴から取り出され、ガラス顕微鏡スライド上に置かれる。
【先行技術文献】
【特許文献】
【０００９】
【特許文献１】米国特許出願公開第２０１５／００５０６５２号明細書
【００１０】
一実施形態では、身体から採取された生体サンプルを処理するために操作可能であるか、または適しているアセタール溶媒を含む組成物が開示される。診断または研究のために身体から採取された組織などの生体サンプルとして、それだけには限らないが、生検、手術で採取された検体および／または剖検から得た組織が挙げられる。また、診断のために身体から採取された生体サンプルを、アセタールを含む組成物を用いて処理することを含む方法が開示される。この関連で生体サンプルを処理することは、一実施形態では、その後の検査／診断のための生体サンプルの固定、透徹および／または包理などの解析前プロセスに重点が置かれている。
【００１１】
生体サンプルを処理するための組成物にとって適した代表的なアセタールとして、メチラール、エチラール、ブチラール、ジオキソラン、グリセロールホルマール、アセトアルデヒドジエチルアセタールおよびそれらの混合物が挙げられる。ジオキソランは、１種の特に好ましいアセタール溶媒である。本明細書に記載されるようなジオキソランとして、１，３−ジオキソランならびにその付加物およびそれらの混合物が挙げられる。このような付加物として、それだけには限らないが、２−メチル−１，３−ジオキソラン、４−メチル−１，３−ジオキソラン、２，２−ジメチル−１，３−ジオキソラン、２−メチル−１，３−ジオキソラン、４−メチル−２−フェニル−１，３−ジオキソラン（ベンズアルデヒドプロピレングリコール）、１，２−ジオキソランおよびその付加物が挙げられる。１，３−ジオキソランは、その好都合な毒性プロフィールおよび商業的入手性のために、１つの特に好ましいジオキソランである。
【００１２】
一実施形態では、解析のために顕微鏡下で見ることができる顕微鏡スライドを製造するための組織学検査室におけるプロセスにおいて、ジオキソランを含む組成物が使用される。一実施形態では、ジオキソランを含む組成物は、脱水剤として単独で、または例えば、アルコール、アセトン、キシレンまたはグリコールと組み合わせて（別個にまたは混合物として）使用され得る。別の実施形態では、ジオキソランを含む組成物は、固定プロセス後に脱水剤として、単独で、またはアルコールと組み合わせて（別個にまたは混合物として）使用され得る。さらに、ジオキソランを含む組成物は、組織におけるパラフィンの浸潤を改善するために、例えば、パラフィンなどの添加剤を用いる浸潤プロセスにおいて使用され得る。
【００１３】
透徹剤として、ジオキソランを含む組成物は、１００パーセントの濃度で（例えば、１００パーセントジオキソラン組成物）使用され得るか、またはより低い組成の（例えば、７０パーセント〜８５パーセントのジオキソランと、残りの別の透徹剤（単数または複数））、炭化水素透徹剤（例えば、キシレン、ヘキサン、鉱油）、酸素ベースの官能基を有する炭化水素透徹剤（例えば、アルコール（例えば、エタノール）、アセテート、エーテル、アセタールなど）または透徹剤の混合物などの別の透徹剤（単数または複数）と組み合され得る。
【００１４】
以下は、診断のために身体から採取された組織を処理するための解析前プロセスにおける、ジオキソランを含む組成物の例示的使用である。
【００１５】
１．組織の脱水を達成するための、エタノール、メタノール、イソプロパノール、アセトンなどといった脱水試薬またはこのような試薬の組合せの使用と、それに続く、透徹のための、ジオキソランの、独立試薬としての、またはエタノール、キシレンなどといったその他の試薬との混合物としての使用。特定の例として、以下が挙げられる：
ａ）脱水のための９５〜１００パーセントエタノールの使用と、それに続く、透徹のための１，３−ジオキソランの使用；
ｂ）脱水のためのエタノール−イソプロピルアルコール混合物（７０：３０ｖ／ｖ）の使用と、それに続く、透徹のための１，３−ジオキソランの使用；
ｃ）脱水のためのアセトン−イソプロピルアルコール−エチレングリコール混合物の使用と、それに続く、透徹のための１，３−ジオキソランの使用；
ｄ）脱水のための７０パーセント試薬エタノール（１〜１０パーセントイソプロパノールおよびメタノールを用いて変性された無水エタノール）の使用と、それに続く、透徹のための１，３−ジオキソランの使用；および
ｅ）最大２パーセント酢酸を含む９５〜１００パーセント試薬エタノールの使用と、それに続く、透徹のための１，３−ジオキソランの使用。
２．透徹のための１，３−ジオキソラン−試薬エタノール混合物（例えば、８０：２０、８５：１５、９０：１０、９５：５ｖ／ｖ）の使用。
３．組織脱水を達成するための脱水混合物の一部としてのジオキソランの使用および独立型の透徹試薬として、または上記で列挙されたものなどの透徹混合物の一部のいずれかとしての、透徹を達成するための再度のジオキソランの使用。脱水のための代表的な混合物として、試薬エタノール（例えば、エタノール）１，３−ジオキソラン混合物（７０：３０；５０：５０および３０：７０ｖ／ｖ）が挙げられる。
４．組織へのワックスの浸潤を促進するための、パラフィンワックス中の添加剤（例え
ば、パラフィン中、最大２０パーセントジオキソラン）としてのジオキソランの使用。
【００１６】
脱水、透徹または浸潤プロセスのためのジオキソランを含む組成物は、一般に、数時間の長さである従来の処理プロトコールのために、またはより短い時間の短いプロトコールのために（例えば、６０分以下）、従来の組織処理装置で使用され得る。ジオキソランを含む組成物はまた、最大７０℃試薬処理温度の高温で実施される処理プロトコールのために従来の組織処理装置でこのようなプロセスにおいて使用され得る。例えば、ジオキソランを単独で、または透徹のための混合物の一部として組織脱水のための試薬アルコールとともに含む組成物が、処理に熱を加えない操作温度で、または６０℃の高温の試薬温度で実施され得る。浸潤プロセスのためには、ジオキソランを含む組成物は、およそ６５〜７０℃の温度でパラフィンと組み合わされ得る。
【００１７】
ジオキソランを含む組成物はまた、通常の大きさの組織に対して約６０分の、およびより小さい組織（生検、コアなど）に対してより短い期間の一般的な処理プロトコールのためにマイクロ波補助組織処理を用いる場合に、脱水剤、透徹剤または浸潤剤として使用するのにも適している。
【実施例】
【００１８】
以下は、解析前処理におけるジオキソランを含む組成物の使用の具体例を表す。
【実施例１】
【００１９】
組織を切断し、１０パーセント中性緩衝ホルマリン中で６〜２４時間固定した。次いで、組織を、試薬アルコール（９０〜１００パーセント）中に３０分間入れた。次いで、組織を、１，３−ジオキソラン中に４０分間入れ、マイクロ波処理を用いた。最後に、組織を、約６５℃の１，３−ジオキソラン（５パーセントｖ／ｖ）と混合したパラフィン中に４０分間入れることによって浸潤させた。
【実施例２】
【００２０】
組織を切断し、１０パーセント中性緩衝ホルマリン中で６〜２４時間固定した。次いで、組織を、２種の連続した試薬アルコール（９５〜１００パーセント）ステーション中に、各１５分間（または１種の試薬アルコールステーション中に３０分間）入れた。次いで、組織を、２種の連続した１，３−ジオキソランステーション中に各１５分間入れた。最後に、組織を、２種の連続したパラフィン（６５℃）ステーション中に各１５分間入れることによって浸潤させた。
【実施例３】
【００２１】
組織を切断し、１０パーセント中性緩衝ホルマリン中で６〜２４時間固定した。次いで、組織を、２種の連続した試薬アルコール（９５〜１００パーセント）ステーション中に各３０分間（または１種の試薬アルコールステーション中に３０〜６０分間）入れた。次いで、組織を２種の連続した１，３−ジオキソランステーション中に各３０分間入れた。最後に、組織を２種の連続したパラフィン（６５℃）ステーション中に各３０分間入れることによって浸潤させた。
【実施例４】
【００２２】
この実施例では、実施例２の処理プロトコールをたどり、１，３−ジオキソランステップおよびパラフィンステップに対してマイクロ波補助によって処理を行った。
【００２３】
上記の実施例は、脱水、透徹または浸潤である生体サンプルの処理におけるアセタール溶媒（例えば、ジオキソラン）の使用に主に関連していた。アセタール溶媒はまた、固定液としても使用され得る。
【００２４】
１，３−ジオキソランのビルディングブロックは、例えば、ホルムアルデヒドおよびエチレングリコールまたはエチレンオキシドである。１，３−ジオキソランまたはホルマールグリコールは、ブレンステッド酸触媒もしくはルイス酸触媒の存在下でのホルムアルデヒドのエチレングリコールとの縮合反応によって、または四塩化スズ（ＳｎＣｌ４）、テトラエチルアンモニウムブロミド（ＣＨ３ＣＨ２）４ＮＢｒもしくはトルエンスルホン酸（ＴｓＯＨ）などの触媒の存在下でのホルムアルデヒドのエチレンオキシドとの反応のいずれかによって工業的に製造される。逆に、ホルムアルデヒドは、加水分解またはその他の方法によって１，３−ジオキソラン分子を切断することによって得ることができる。
【００２５】
種々の文献に、アセタールからアルデヒドを形成するための方法が引用されている。１，３−ジオキソランの加水分解は、縮合反応を逆転させて、比較的穏やかな条件でホルムアルデヒドおよびエチレングリコールを生成させる。反応は、１，３−ジオキソラン中に塩酸を添加することによって実施され得る。規定度（Ｎ）および容量を変更することによって、反応において種々の量のホルムアルデヒドが生成し得る。６Ｎ  ＨＣｌの使用は、例えば、室温で約４時間で、各モルの１，３−ジオキソランに対して１モルのホルムアルデヒドを提供する。
【００２６】
室温で３０分から８時間の期間、触媒としてアセトンおよびインジウム（ＩＩＩ）トリフルオロメタン−スルホネート（Ｉｎ（ＯＴｆ）３）の存在下で、アセタールおよびケタールの脱保護が示された。反応は、１００℃でマイクロ波の使用によって加速され、反応は５分〜１５分で完了され得る。
【００２７】
湿潤ニトロメタン中、室温での環状アセタールの化学選択的切断のために、穏やかなルイス酸触媒Ｅｒ（ＯＴｆ）３を使用した。同様に、ほぼ中性ｐＨでの触媒セリウム（ＩＩＩ）トリフレートを使用することによる湿潤ニトロメタン中のアセタールの切断のための化学選択的方法は、１〜２４時間の期間で高収率を提供した。
【００２８】
触媒量のヨウ素の存在下、中性条件下での、数分内での優れた収率での非環式および環式アセタールの脱保護も報告されている。
【００２９】
一実施形態では、触媒、温度、圧力、水の添加、マイクロ波およびそれらの組合せによって、系およびプロセスに入れられた１種以上の組織とともにその場で、または組織（単数または複数）の添加の直前のいずれかで１，３−ジオキソランが切断される系およびプロセスが記載されている。１，３−ジオキソランの一部は、加水分解を受けて、ホルムアルデヒドを生成し、これは、組織（単数または複数）の固定に役立ち、系中の１，３−ジオキソラン残りの部分は、組織（単数または複数）を同時に脱水および透徹することによる組織（単数または複数）の処理で補助するために利用可能である。記載されるプロセスは、試薬アルコール、エタノール、メタノール、イソプロピルアルコール、アセトンまたは組織透徹を改善する脱水のための種々の濃度の同様の脱水剤を通して入れられる組織とともに使用され得る。
【００３０】
典型的には、ヒトまたは動物組織を集め、１，３−ジオキソランを含有する密閉可能な容器または反応チャンバー中に入れる。容器に、水および数滴の塩酸を添加する。加水分解を、温度および圧力の相対的に穏やかなまたは室内条件下で実施して、ホルムアルデヒドおよびエチレングリコールを生成する。反応において得られたホルムアルデヒドガスは水に溶解されて、ホルマリン固定液を生成する。このプロセスは、バッファー試薬を添加して実施できる。反応はまた、ルイス酸、ブレンステッド酸およびその他の市販の触媒の使用によって触媒され得る。
【００３１】
１，３−ジオキソランなどのアセタールを使用する固定は、新たに得られた、予め凍結されているか、または予め脱水されている組織で実施され得る。１，３−ジオキソランから得られるホルムアルデヒドは、文献において入手可能な種々の方法によって得ることができる。１，３−ジオキソランの加水分解反応は、種々のプロトンドナー酸触媒、例えば、塩酸（ＨＣｌ）、硫酸（Ｈ２ＳＯ４）、トルエンスルホン酸触媒などの市販の酸をベースとする触媒ならびにそれだけには限らないが、ヨウ素、臭素、セリウム（ＩＩＩ）トリフレートおよびインジウム（ＩＩＩ）トリフルオロメタンスルホネートを含めたルイス酸によって達成され得る。系のｐＨは、リン酸などのバッファー化学物質を使用することによって制御され得る。加水分解反応において使用される酸の濃度の変動は、反応の速度およびホルムアルデヒドの収率を変更する。１，３−ジオキソラン、脱イオン（Ｄ．Ｉ．）水および触媒の割合は、反応の速度を変更するために、またホルムアルデヒドの収率を変更するために変更され得る。反応の速度は、反応温度を変更することによって変更および変化され得る。より高い温度は、反応の速度を増大し、より低い温度は、低減する。マイクロ波は、反応の速度を最適化するために使用され得る。
【実施例５】
【００３２】
組織固定液としてのジオキソランの使用の一例：
７９．５ｇｍ．の１，３−ジオキソランに、１９．５ｇｍ．の純水を添加する。新たに得たものであっても、予め凍結されたものであっても、脱水されたものであってもよい組織を、１，３−ジオキソランおよび水の混合物中に入れる。この系に、数滴（例えば、２〜４滴）の６Ｎ塩酸を添加し、ホルムアルデヒドガスの逸脱を避けるために反応チャンバーを閉じる。均一混合物を得るために混合が行われる。ジオキソランの酸触媒添加された加水分解反応物は、エチレングリコールおよびホルムアルデヒドを生成し、これは、未反応の水中に溶解すると予測される。新たに形成されたホルマリンは、組織中のタンパク質と反応して、固定を達成し、一方で、ジオキソランは、脂質を除去することによって組織の透徹で役立つ。
【００３３】
実施
実施１は、身体から採取した生体サンプルを、アセタール溶媒を含む組成物を用いて処理することを含む方法である。
【００３４】
実施２では、実施１の方法のアセタール溶媒は、ジオキソランを含む。
【００３５】
実施３では、実施１または２の方法の生体サンプルの処理は、生体サンプルを固定化することを含む。
【００３６】
実施４では、実施３の方法のアセタール溶媒は、ジオキソランであり、生体サンプルを固定化することは、生体サンプルを、ジオキソラン、触媒および水を含む混合物と接触させることを含む。
【００３７】
実施５では、実施１の方法は、生体サンプルを組成物を用いて処理する前に、生体サンプルを固定することを含む。
【００３８】
実施６では、実施５の方法は、生体サンプルを固定した後に、生体サンプルを脱水および透徹することを含み、生体サンプルを組成物を用いて処理することは、少なくとも１種の脱水および透徹の少なくとも一部として処理することを含む。
【００３９】
実施７では、実施６の方法は、生体サンプルを組成物を用いて処理する前に、固定された生体サンプルを脱水することを含む。
【００４０】
実施８では、実施７の方法の脱水は、固定された生体サンプルを、アルコールを含む脱水組成物を用いて処理することを含む。
【００４１】
実施９では、実施７の方法の脱水組成物は、アセトンおよびグリコールのうち少なくとも１種を含む。
【００４２】
実施１０では、実施６の方法の脱水は、固定された生体サンプルを、組成物を含む脱水組成物を用いて処理することを含む。
【００４３】
実施１１では、実施５の方法は、生体サンプルを固定した後に、生体サンプルを脱水、透徹することおよび生体サンプルを浸潤させることを含み、生体サンプルを組成物を用いて処理することは、生体サンプルを浸潤させることの少なくとも一部として処理することを含む。
【００４４】
実施１２では、実施１１の方法の組成物は、パラフィンをさらに含む。
【００４５】
実施１３では、実施２または３の方法のジオキソランは、１，３−ジオキソランを含む。
【００４６】
実施１４は、固定化、脱水、透徹および浸潤プロセスの少なくとも１種として、身体から採取した組織を、アセタール溶媒を含む組成物と接触させることを含む方法である。
【００４７】
実施１５では、実施１〜１４のいずれかの方法の生体サンプルは、組織を含む。
【００４８】
実施１６では、実施１４の方法のアセタール溶媒は、ジオキソランを含む。
【００４９】
実施１７では、実施１４〜１６のいずれかの方法のプロセスは、固定化プロセスである。
【００５０】
実施１８では、実施１６の方法のジオキソランは、１，３−ジオキソランを含む。
【００５１】
実施１９では、実施１４の方法のプロセスは、透徹プロセスである。
【００５２】
実施２０では、実施１９の方法は、生体サンプルを別の透徹剤と接触させることをさらに含む。
【００５３】
実施２１では、実施２０の方法の別の透徹剤は、炭化水素透徹剤および酸素ベースの官能基を有する炭化水素透徹剤のうち少なくとも１種を含む。
【００５４】
実施２２では、ジオキソランおよび実施２０の方法の別の透徹剤は、混合物を含む。
【００５５】
実施２３では、実施１２〜１４のいずれかの方法のプロセスは、脱水プロセスである。
【００５６】
実施２４では、実施２０の方法は、組織をアルコールと接触させることをさらに含む。
【００５７】
実施２５では、実施２４の方法のアセタール溶媒およびアルコールは、混合物を含む。
【００５８】
実施２６では、実施１４の方法のプロセスは、浸潤プロセスである。
【００５９】
実施２７では、実施２６の方法は、生体サンプルをパラフィンワックスと接触させることをさらに含む。
【００６０】
実施２８では、実施２７の方法のジオキソランおよびパラフィンは、混合物を含む。
【００６１】
実施２９では、実施１〜２８のいずれかの方法によって作製された組織サンプルなどの固定された生体サンプル。
【００６２】
上記の記載では、説明目的で、実施形態の十分な理解を提供するために多数の具体的な詳細が示されてきた。しかし、当業者には、これらの具体的な詳細の一部を伴わずに、１種以上のその他の実施形態が実行され得るということは明らかであろう。記載される特定の実施形態は、本発明を制限するために提供されるのではなく、それを例示するために提供される。本発明の範囲は、上記で提供される具体例によって決定されてはならず、以下の特許請求の範囲によってのみ決定される。その他の例では、周知の構造、装置および運用は、記載の理解を不明瞭にすることを避けるために、ブロック図の形態で、または詳細は伴わずに示されている。適当と考えられる場合には、参照数字または参照数字の末端部分は、任意選択で、同様の特徴を有し得る、対応するまたは類似の要素を示すために図の間で反復されている。
【００６３】
本明細書を通じて「一実施形態（ｏｎｅ  ｅｍｂｏｄｉｍｅｎｔ）」、「一実施形態（ａｎ  ｅｍｂｏｄｉｍｅｎｔ）」、「１種以上の実施形態（ｏｎｅ  ｏｒ  ｍｏｒｅ  ｅｍｂｏｄｉｍｅｎｔｓ）」または「種々の実施形態（ｄｉｆｆｅｒｅｎｔ  ｅｍｂｏｄｉｍｅｎｔｓ）」への言及は、例えば、特定の特徴が、本発明の実施に含まれ得ることを意味すると理解されなければならない。同様に、当然のことではあるが、本開示内容を合理化し、種々の発明の態様の理解を補助する目的で、本記載において、種々の特徴が、単一の実施形態、図またはその説明に一緒にグループ化されることがある。しかし、この開示の方法は、本発明が各特許請求の範囲において明確に列挙されるものよりも多くの特徴を必要とするという意図を反映すると解釈されてはならない。むしろ、以下の特許請求の範囲が反映するように、発明の態様は、単一の開示された実施形態のすべての特徴より少ないものであり得る。したがって、詳細な説明の後の特許請求の範囲は、この詳細な説明にここで明確に組み込まれ、各特許請求の範囲は、本発明の別個の実施形態として独立する。